(57)【要約】【課題】既存のネットワーク構成の変更を最小限に抑えつつ「Ｉｎｔｅｒ-ｓｉｔｅ  ＣＡ」を開始するための手順を行う。【解決手段】本発明に係る移動通信方法は、無線基地局ｅＮＢ＃１が、無線基地局ｅＮＢ＃１１に対して「ＣＡ  ｐｒｅｐａｒａｔｉｏｎ」を送信する工程と、無線基地局ｅＮＢ＃１１が、無線基地局ｅＮＢ＃１に対して「ｃｏｎｆｉｒｍａｔｉｏｎ」を送信する工程と、無線基地局ｅＮＢ＃１が、移動局ＵＥに対して「ＲＲＣ  ｃｏｎｎｅｃｔｉｏｎ  ｒｅｃｏｎｆｉｇｕｒａｔｉｏｎ」を送信する工程と、移動局ＵＥが、無線基地局ｅＮＢ＃１１に対して「ＲＲＣ  ｃｏｎｎｅｃｔｉｏｎ  ｒｅｃｏｎｆｉｇｕｒａｔｉｏｎ  ｃｏｍｐｌｅｔｅ」を送信する工程と、無線基地局ｅＮＢ＃１１が、無線基地局ｅＮＢ＃１に対して「ＣＡ  ａｄｄｉｔｉｏｎ  ｃｏｍｐｌｅｔｅ」を送信する工程とを有する。【選択図】図２
2014187651.tif 000002
【特許請求の範囲】
【請求項１】
第１無線基地局が、移動局に対する該第１無線基地局及び第２無線基地局を用いたキャリアアグリゲーションを開始することを決定すると、該第２無線基地局に対して、キャリアアグリゲーション準備信号を送信する工程Ａと、
前記第２無線基地局が、前記第１無線基地局に対して、前記キャリアアグリゲーション準備信号に対する確認信号を送信する工程Ｂと、
前記第１無線基地局が、前記確認信号に応じて、前記移動局に対して、コネクション再設定信号を送信する工程Ｃと、
前記移動局が、前記コネクション再設定信号に応じて、前記第２無線基地局との間でランダムアクセス手順を行う工程Ｄと、
前記ランダムアクセス手順が完了すると、前記移動局が、前記第２無線基地局に対して、コネクション再設定完了信号を送信する工程Ｅと、
前記第２無線基地局が、コアネットワーク装置に対して、パス切替要求信号を送信する工程Ｆと、
前記コアネットワーク装置が、前記第２無線基地局に対して、パス切替完了信号を送信する工程Ｇと、
前記第２無線基地局が、前記第１無線基地局に対して、前記キャリアアグリゲーションの開始手順が完了したことを示すキャリアアグリゲーション手順完了信号を送信する工程Ｈとを有することを特徴とする移動通信方法。
【請求項２】
前記工程Ａにおいて、前記第１無線基地局は、前記キャリアアグリゲーション準備信号によって、前記キャリアアグリゲーション用として前記第２無線基地局において設定すべきベアラの識別子を通知することを特徴とする請求項１に記載の移動通信方法。
【請求項３】
前記工程Ｂにおいて、前記第２無線基地局は、前記確認信号によって前記キャリアアグリゲーション用として該第２無線基地局において設定すべきベアラの識別子を通知することを特徴とする請求項１に記載の移動通信方法。
【請求項４】
前記工程Ｂにおいて、前記第２無線基地局は、前記確認信号によって前記ランダムアクセス手順に用いるランダムアクセスチャネル用リソースを通知することを特徴とする請求項１に記載の移動通信方法。
【請求項５】
前記工程Ｂにおいて、前記第２無線基地局は、前記確認信号によって該第２無線基地局における設定情報を通知することを特徴とする請求項１に記載の移動通信方法。
【請求項６】
前記工程Ｂにおいて、前記第２無線基地局は、前記確認信号にハンドオーバ指示信号を含め、該ハンドオーバ指示信号によって前記キャリアアグリゲーション用として該第２無線基地局において設定すべきベアラの識別子を通知することを特徴とする請求項１に記載の移動通信方法。
【請求項７】
前記工程Ｂにおいて、前記第２無線基地局は、前記確認信号にハンドオーバ指示信号を含め、該ハンドオーバ指示信号によって前記ランダムアクセス手順に用いるランダムアクセスチャネル用リソースを通知することを特徴とする請求項１に記載の移動通信方法。
【請求項８】
前記工程Ｂにおいて、前記第２無線基地局は、前記確認信号にハンドオーバ指示信号を含め、該ハンドオーバ指示信号によって該第２無線基地局における設定情報を通知することを特徴とする請求項１に記載の移動通信方法。
【請求項９】
前記工程Ｂにおいて、前記第２無線基地局は、前記ハンドオーバ指示信号に、前記キャリアアグリゲーションを行うためのハンドオーバ指示信号であることを示す識別子を含めることを特徴とする請求項６乃至８のいずれか一項に記載の移動通信方法。
【請求項１０】
前記第２無線基地局は、前記確認信号を送信してから所定期間経過しても前記コネクション再設定完了信号を受信しない場合、前記第１無線基地局に対して、その旨を示す信号を送信することを特徴とする請求項１乃至９のいずれか一項に記載の移動通信方法。
【発明の詳細な説明】
【技術分野】
【０００１】
本発明は、移動通信方法に関する。
【背景技術】
【０００２】
ＬＴＥ（Ｌｏｎｇ  Ｔｅｒｍ  Ｅｖｏｌｕｔｉｏｎ）方式では、「ＲＲＣ_ｃｏｎｎｅｃｔｅｄ状態」の移動局ＵＥに対して、常に最適なセルで通信を行わせるために、ハンドオーバ制御を行っている（例えば、非特許文献１参照）。
【０００３】
かかるハンドオーバ制御では、移動局ＵＥは、ｍｅａｓｕｒｅｍｅｎｔ制御により、現状よりも品質の良いセルを検出すると、かかるイベントを無線アクセスネットワークに対して報告し、無線アクセスネットワークは、移動局ＵＥに対して、かかるセルへ遷移するための「ＨＯ  ｃｏｍｍａｎｄ」を送信し、かかる「ＨＯ  ｃｏｍｍａｎｄ」を受信した移動局ＵＥは、指定された遷移先のセルに対する接続を試みるように構成されている。図４に、かかるハンドオーバ制御におけるシーケンスを示す。
【０００４】
また、ＬＴＥ方式のＲｅｌｅａｓｅ-１０において、２０ＭＨｚを超える広帯域通信（例えば、１００Ｈｚの通信）を実現するために、同一の無線基地局ｅＮＢ配下の複数のＣＣ（Ｃｏｍｐｏｎｅｎｔ  Ｃａｒｒｉｅｒ：コンポーネントキャリア）を束ねて通信を行うＣＡ（Ｃａｒｒｉｅｒ  Ａｇｇｒｅｇａｔｉｏｎ：キャリアアグリゲーション）、すなわち、「Ｉｎｔｒａ-ｅＮＢ  ＣＡ」が導入された（図５（ａ）参照）。
【０００５】
その後、ＬＴＥ方式のＲｅｌｅａｓｅ-１２以降で、「Ｓｍａｌｌ  Ｃｅｌｌ  ｅｎｈａｎｃｅｍｅｎｔ」が提案され、従来よりも更に柔軟なネットワークアーキテクチャの１つとして、異なる無線基地局ｅＮＢ配下のＣＣ（セル）を束ねて通信を行う「Ｉｎｔｅｒ-ｓｉｔｅ  ＣＡ（Ｉｎｔｅｒ-ｅＮＢ  ＣＡ）」の導入が検討されている。
【０００６】
例えば、「Ｉｎｔｅｒ-ｓｉｔｅ  ＣＡ」を用いて、信頼性の必要な制御信号（Ｃ-ｐｌａｎｅ信号）については、ＳＲＢ（Ｓｉｇｎａｌｉｎｇ  Ｒａｄｉｏ  Ｂｅａｒｅｒ）を介して無線基地局ｅＮＢ＃１配下のセル＃１（マクロセル）で通信を行い、広帯域通信の必要なユーザデータ信号（Ｕ-ｐｌａｎｅ信号）については、ＤＲＢ（Ｄａｔａ  Ｒａｄｉｏ  Ｂｅａｒｅｒ）を介して無線基地局ｅＮＢ＃１１配下のセル＃１１（スモールセル）で通信を行うといった運用も考えられる（図５（ｂ）参照）。
【０００７】
図６（ａ）に、移動局ＵＥがＣＡを行っていない状態におけるＣ-ｐｌａｎｅ信号及びＵ-ｐｌａｎｅ信号の経路を示し、図６（ｂ）に、移動局ＵＥが「Ｉｎｔｅｒ-ｓｉｔｅ  ＣＡ」を行っている状態（図５（ｂ）に示す運用形態）におけるＣ-ｐｌａｎｅ信号及びＵ-ｐｌａｎｅ信号の経路を示す。
【先行技術文献】
【非特許文献】
【０００８】
【非特許文献１】３ＧＰＰ  ＴＳ３６.３００
【発明の概要】
【発明が解決しようとする課題】
【０００９】
しかしながら、既存のＬＴＥ方式では、「Ｉｎｔｅｒ-ｓｉｔｅ  ＣＡ」を開始するための手順が規定されていないという問題点があった。
【００１０】
そこで、本発明は、上述の課題に鑑みてなされたものであり、既存のネットワーク構成の変更を最小限に抑えつつ「Ｉｎｔｅｒ-ｓｉｔｅ  ＣＡ」を開始するための手順を行うことができる移動通信方法を提供することを目的とする。
【課題を解決するための手段】
【００１１】
本発明の第１の特徴は、移動通信方法であって、第１無線基地局が、移動局に対する該第１無線基地局及び第２無線基地局を用いたキャリアアグリゲーションを開始することを決定すると、該第２無線基地局に対して、キャリアアグリゲーション準備信号を送信する工程Ａと、前記第２無線基地局が、前記第１無線基地局に対して、前記キャリアアグリゲーション準備信号に対する確認信号を送信する工程Ｂと、前記第１無線基地局が、前記確認信号に応じて、前記移動局に対して、コネクション再設定信号を送信する工程Ｃと、前記移動局が、前記コネクション再設定信号に応じて、前記第２無線基地局との間でランダムアクセス手順を行う工程Ｄと、前記ランダムアクセス手順が完了すると、前記移動局が、前記第２無線基地局に対して、コネクション再設定完了信号を送信する工程Ｅと、
前記第２無線基地局が、コアネットワーク装置に対して、パス切替要求信号を送信する工程Ｆと、前記コアネットワーク装置が、前記第２無線基地局に対して、パス切替完了信号を送信する工程Ｇと、前記第２無線基地局が、前記第１無線基地局に対して、前記キャリアアグリゲーションの開始手順が完了したことを示すキャリアアグリゲーション手順完了信号を送信する工程Ｈとを有することを要旨とする。
【発明の効果】
【００１２】
以上説明したように、本発明によれば、既存のネットワーク構成の変更を最小限に抑えつつ「Ｉｎｔｅｒ-ｓｉｔｅ  ＣＡ」を開始するための手順を行うことができる移動通信方法を提供することができる。
【図面の簡単な説明】
【００１３】
【図１】本発明の第１の実施形態に係る移動通信システムの全体構成図である。
【図２】本発明の第１の実施形態に係る移動通信システムの動作を説明するためのシーケンス図である。
【図３】本発明の変更例１に係る移動通信システムの動作を説明するためのシーケンス図である。
【図４】従来技術を説明するための図である。
【図５】従来技術を説明するための図である。
【図６】従来技術を説明するための図である。
【発明を実施するための形態】
【００１４】
（本発明の第１の実施形態に係る移動通信システム）
図１及び図２を参照して、本発明の第１の実施形態に係る移動通信システムについて説明する。
【００１５】
図１に示すように、本実施形態に係る移動通信システムは、移動管理ノードＭＭＥやゲートウェイ装置Ｐ-ＧＷ/Ｓ-ＧＷ等のコアネットワーク装置ＣＮと、セル＃１を管理する無線基地局ｅＮＢ＃１と、セル＃１１を管理する無線基地局ｅＮＢ＃１１とを具備している。
【００１６】
ここで、セル＃１１は、スモールセル（ファントムセル）であり、セル＃１は、マクロセルである。なお、セル＃１１のカバレッジエリアと、セル＃１のカバレッジエリアのカバレッジエリアとは、少なくとも一部で重なるように配置されている。
【００１７】
なお、無線基地局ｅＮＢ＃１は、マクロ無線基地局（Ｍａｃｒｏ-ｅＮＢ）と呼ばれてもよく、無線基地局ｅＮＢ＃１１は、スモール無線基地局（Ｓｍａｌｌ-ｅＮＢ）やファントム無線基地局（Ｐｈａｎｔｏｍ-ｅＮＢ）と呼ばれてもよい。
【００１８】
また、本実施形態に係る移動通信システムは、ＬＴＥ方式の移動通信システムであって、かかる本実施形態に係る移動通信システムにおいて、移動局ＵＥは、「Ｉｎｔｅｒ-ｓｉｔｅ  ＣＡ」を行うことができるように構成されている。
【００１９】
なお、本実施形態に係る移動通信システムでは、移動局ＵＥは、ＣＡを行っていない状態から、無線基地局ｅＮＢ＃１配下のセル＃１及び無線基地局ｅＮＢ＃１１配下のセル＃１１を介して「Ｉｎｔｅｒ-ｓｉｔｅ  ＣＡ」を開始するケースについて説明する。
【００２０】
以下、図１及び図２を参照して、本実施形態に係る移動通信システムの動作について説明する。
【００２１】
具体的には、移動局ＵＥが、無線基地局ｅＮＢ＃１配下のセル＃１と通信を行っている状態（ＣＡを行っていない状態）から、無線基地局ｅＮＢ＃１配下のセル＃１及び無線基地局ｅＮＢ＃１１配下のセル＃１１を介して「Ｉｎｔｅｒ-ｓｉｔｅ  ＣＡ」を開始する動作について説明する。
【００２２】
図１及び図２に示すように、無線基地局ｅＮＢ＃１は、移動局ＵＥが通信を行うセル（Ｓｃｅｌｌ）として無線基地局ｅＮＢ＃１１配下のセル＃１１を追加することによって「Ｉｎｔｅｒ-ｓｉｔｅ  ＣＡ」を開始することを決定すると、ステップＳ１００１において、無線基地局ｅＮＢ＃１１に対して、「ＣＡ  ｐｒｅｐａｒａｔｉｏｎ」を送信する。
【００２３】
かかる「ＣＡ  ｐｒｅｐａｒａｔｉｏｎ」では、無線基地局ｅＮＢ＃１１に対して設定するベアラの情報（例えば、ベアラの識別子や、ＰＤＣＰレイヤの設定情報や、ＲＬＣレイヤの設定情報や、ＭＡＣレイヤの設定情報や、物理レイヤの設定情報）が通知されてもよい。
【００２４】
ステップＳ１００２において、無線基地局ｅＮＢ＃１１は、無線基地局ｅＮＢ＃１に対して、「ＣＡ  ｐｒｅｐａｒａｔｉｏｎ」に対する「ｃｏｎｆｉｒｍａｔｉｏｎ」を送信する。
【００２５】
ここで、無線基地局ｅＮＢ＃１１は、「ｃｏｎｆｉｒｍａｔｉｏｎ」によって、「Ｉｎｔｅｒ-ｓｉｔｅ  ＣＡ」用として無線基地局ｅＮＢ＃１１において設定すべきベアラの識別子（ＲＢ-ＩＤ）を通知してもよい。
【００２６】
或いは、無線基地局ｅＮＢ＃１１は、「ｃｏｎｆｉｒｍａｔｉｏｎ」に含まれる「ＨＯ  ｃｏｍｍａｎｄ」によって、「Ｉｎｔｅｒ-ｓｉｔｅ  ＣＡ」用として無線基地局ｅＮＢ＃１１において設定すべきベアラの識別子を通知してもよい。
【００２７】
ここで、かかる「ＨＯ  ｃｏｍｍａｎｄ」には、既存の「ＨＯ  ｃｏｍｍａｎｄ」ではなく「Ｉｎｔｅｒ-ｓｉｔｅ  ＣＡ」を行うための「ＨＯ  ｃｏｍｍａｎｄ」であることを示す識別子が含まれていてもよい。
【００２８】
なお、かかる識別子は、「Ｍｏｂｉｌｉｔｙ  Ｃｏｎｔｒｏｌ  Ｉｎｆｏ」内に含まれていてもよい。
【００２９】
また、無線基地局ｅＮＢ＃１１は、「ｃｏｎｆｉｒｍａｔｉｏｎ」によって、ランダムアクセス（Ｒａｎｄｏｍ  Ａｃｃｅｓｓ）手順に用いるランダムアクセスチャネル（ＲＡＣＨ：Ｒａｎｄｏｍ  Ａｃｃｅｓｓ  Ｃｈａｎｎｅｌ）用リソースを通知してもよい。
【００３０】
なお、ランダムアクセス手順用のチャネルリソースについては、無線基地局ｅＮＢ＃１１に対して、最初のセカンダリセルを設定する際にのみ通知されてもよい。
【００３１】
或いは、無線基地局ｅＮＢ＃１１は、「ｃｏｎｆｉｒｍａｔｉｏｎ」に含まれる「ＨＯ  ｃｏｍｍａｎｄ」によって、ランダムアクセス手順に用いるランダムアクセスチャネル用リソースを通知してもよい。
【００３２】
なお、かかるランダムアクセスチャネル用リソースには、「Ｐｒｅａｍｂｌｅ  ｉｎｄｅｘ」やＲＡＣＨリソース位置等が含まれる。
【００３３】
さらに、無線基地局ｅＮＢ＃１１は、「ｃｏｎｆｉｒｍａｔｉｏｎ」によって無線基地局ｅＮＢ＃１１における設定情報を通知してもよい。
【００３４】
或いは、無線基地局ｅＮＢ＃１１は、「ｃｏｎｆｉｒｍａｔｉｏｎ」に含まれる「ＨＯ  ｃｏｍｍａｎｄ」によって、無線基地局ｅＮＢ＃１１における設定情報を通知してもよい。
【００３５】
なお、かかる無線基地局ｅＮＢ＃１１における設定情報には、ＰＤＣＰ（Ｐａｃｋｅｔ  Ｄａｔａ  Ｃｏｎｖｅｒｇｅｎｃｅ  Ｐｒｏｔｏｃｏｌ）レイヤにおけるｃｏｎｆｉｇｕｒａｔｉｏｎ情報や、ＲＬＣ（Ｒａｄｉｏ  Ｌｉｎｋ  Ｃｏｎｔｒｏｌ）レイヤにおけるｃｏｎｆｉｇｕｒａｔｉｏｎ情報や、ＭＡＣ（Ｍｅｄｉａ  Ａｃｃｅｓｓ  Ｃｏｎｔｒｏｌ）レイヤにおけるｃｏｎｆｉｇｕｒａｔｉｏｎ情報や、物理レイヤにおけるｃｏｎｆｉｇｕｒａｔｉｏｎ情報等が含まれる。
【００３６】
ステップＳ１００３において、無線基地局ｅＮＢ＃１は、「ｃｏｎｆｉｒｍａｔｉｏｎ」に応じて、移動局ＵＥに対して、「ＲＲＣ  ｃｏｎｎｅｃｔｉｏｎ  ｒｅｃｏｎｆｉｇｕｒａｔｉｏｎ」を送信する。
【００３７】
なお、かかる「ＲＲＣ  ｃｏｎｎｅｃｔｉｏｎ  ｒｅｃｏｎｆｉｇｕｒａｔｉｏｎ」には、上述の「ｃｏｎｆｉｒｍａｔｉｏｎ」或いは「ＨＯ  ｃｏｍｍａｎｄ」がそのまま含まれていてもよいし、或いは、上述の「ｃｏｎｆｉｒｍａｔｉｏｎ」或いは「ＨＯ  ｃｏｍｍａｎｄ」に設定されている情報要素が含まれていてもよい。
【００３８】
このとき、無線基地局ｅＮＢ＃１１に設定すべきベアラについては、スケジューリングを停止してもよい。
【００３９】
ステップＳ１００４において、無線基地局ｅＮＢ＃１は、無線基地局ｅＮＢ＃１１に対して、「Ｄａｔａ  ｆｏｒｗａｒｄｉｎｇ手順」を行う。
【００４０】
ここで、移動局ＵＥは、「ＲＲＣ  ｃｏｎｎｅｃｔｉｏｎ  ｒｅｃｏｎｆｉｇｕｒａｔｉｏｎ」を受信すると、無線基地局ｅＮＢ＃１１との間でランダムアクセス手順を行う。
【００４１】
かかるランダムアクセス手順が完了すると、ステップＳ１００５において、移動局ＵＥは、無線基地局ｅＮＢ＃１１に対して、「ＲＲＣ  ｃｏｎｎｅｃｔｉｏｎ  ｒｅｃｏｎｆｉｇｕｒａｔｉｏｎ  ｃｏｍｐｌｅｔｅ」を送信する。
【００４２】
ステップＳ１００６において、無線基地局ｅＮＢ＃１１は、コアネットワーク装置ＣＮに対して、「Ｐａｔｈ  ｓｗｉｔｃｈ  ｒｅｑｕｅｓｔ」を送信する。
【００４３】
ステップＳ１００７において、コアネットワーク装置ＣＮは、移動局ＵＥ宛ての下りリンクのパスを無線基地局ｅＮＢ＃１経由のパスから無線基地局ｅＮＢ＃１１経由のパスに切り替えると、無線基地局ｅＮＢ＃１に対して、「Ｅｎｄ  ｍａｒｋｅｒ」を送信し、ステップＳ１００８において、無線基地局ｅＮＢ＃１は、無線基地局ｅＮＢ＃１１に対して、「Ｅｎｄ  ｍａｒｋｅｒ」を送信する。
【００４４】
ステップＳ１００９において、コアネットワーク装置ＣＮが、無線基地局ｅＮＢ＃１１に対して、「Ｐａｔｈ  ｓｗｉｔｃｈ  ＡＣＫ」を送信する。
【００４５】
ステップＳ１０１０において、無線基地局ｅＮＢ＃１１は、無線基地局ｅＮＢ＃１に対して、「Ｉｎｔｅｒ-ｓｉｔｅ  ＣＡ」の開始手順が完了したことを示す「ＣＡ  ａｄｄｉｔｉｏｎ  ｃｏｍｐｌｅｔｅ」を送信する。
【００４６】
（変更例１）
以下、図３を参照して、本発明の変更例１に係る移動通信システムについて、上述の第１の実施形態に係る移動通信システムとの相違点に着目して説明する。
【００４７】
本変更例１に係る移動通信システムでは、図３に示すように、無線基地局ｅＮＢ＃１１は、図２のステップＳ１００２における「ｃｏｎｆｉｒｍａｔｉｏｎ」を送信してから、所定期間が経過しても、図２のステップＳ１００５における「ＲＲＣ  ｃｏｎｎｅｃｔｉｏｎ  ｒｅｃｏｎｆｉｇｕｒａｔｉｏｎ  ｃｏｍｐｌｅｔｅ」を受信しない場合、ステップＳ２００１において、無線基地局ｅＮＢ＃１に対して、その旨を示す信号を送信するように構成されている。
【００４８】
かかる場合、無線基地局ｅＮＢ＃１１は、移動局ＵＥに対して確保していたリソース（例えば、ＰＵＣＣＨ（Ｐｈｙｓｉｃａｌ  Ｕｐｌｉｎｋ  Ｃｏｎｔｒｏｌ  Ｃｈａｎｎｅｌ）用リソースやＳＲＳ（Ｓｏｕｎｄｉｎｇ  Ｒｅｆｅｒｅｎｃｅ  Ｓｉｇｎａｌ）等）や、移動局ＵＥのコンテクストを開放するように構成されている。
【００４９】
また、無線基地局ｅＮＢ＃１は、上述の信号を受信すると、「Ｉｎｔｅｒ-ｓｉｔｅ  ＣＡ」の開始手順を中止するように構成されていてもよい。
【００５０】
また、無線基地局ｅＮＢ＃１は、上述の信号を受信すると、移動局ＵＥに対して、「Ｉｎｔｅｒ-ｓｉｔｅ  ＣＡ」の開始手順を中止する旨を通知するように構成されていてもよい。
【００５１】
或いは、移動局ＵＥは、かかる通知を受信するまでもなく、自律的に「Ｉｎｔｅｒ-ｓｉｔｅ  ＣＡ」の開始手順を中止するように構成されていてもよい。
【００５２】
以上に述べた本実施形態の特徴は、以下のように表現されていてもよい。
【００５３】
本実施形態の第１の特徴は、移動通信方法であって、無線基地局ｅＮＢ＃１（第１無線基地局）が、移動局ＵＥに対する無線基地局ｅＮＢ＃１及び無線基地局ｅＮＢ＃１１（第２無線基地局）を用いた「Ｉｎｔｅｒ-ｓｉｔｅ  ＣＡ（キャリアアグリゲーション）」を開始することを決定すると、無線基地局ｅＮＢ＃１１に対して、「ＣＡ  ｐｒｅｐａｒａｔｉｏｎ（キャリアアグリゲーション準備信号）」を送信する工程Ａと、無線基地局ｅＮＢ＃１１が、無線基地局ｅＮＢ＃１に対して、「ＣＡ  ｐｒｅｐａｒａｔｉｏｎ」に対する「ｃｏｎｆｉｒｍａｔｉｏｎ（確認信号）」を送信する工程Ｂと、無線基地局ｅＮＢ＃１が、「ｃｏｎｆｉｒｍａｔｉｏｎ」に応じて、移動局ＵＥに対して、「ＲＲＣ  ｃｏｎｎｅｃｔｉｏｎ  ｒｅｃｏｎｆｉｇｕｒａｔｉｏｎ（コネクション再設定信号）」を送信する工程Ｃと、移動局ＵＥが、「ＲＲＣ  ｃｏｎｎｅｃｔｉｏｎ  ｒｅｃｏｎｆｉｇｕｒａｔｉｏｎ」に応じて、無線基地局ｅＮＢ＃１１との間でランダムアクセス手順を行う工程Ｄと、かかるランダムアクセス手順が完了すると、移動局ＵＥが、無線基地局ｅＮＢ＃１１に対して、「ＲＲＣ  ｃｏｎｎｅｃｔｉｏｎ  ｒｅｃｏｎｆｉｇｕｒａｔｉｏｎ  ｃｏｍｐｌｅｔｅ（コネクション再設定完了信号）」を送信する工程Ｅと、無線基地局ｅＮＢ＃１１が、コアネットワーク装置ＣＮに対して、「Ｐａｔｈ  ｓｗｉｔｃｈ  ｒｅｑｕｅｓｔ（パス切替要求信号）」を送信する工程Ｆと、コアネットワーク装置ＣＮが、無線基地局ｅＮＢ＃１１に対して、「Ｐａｔｈ  ｓｗｉｔｃｈ  ＡＣＫ（パス切替完了信号）」を送信する工程Ｇと、無線基地局ｅＮＢ＃１１が、無線基地局ｅＮＢ＃１に対して、「Ｉｎｔｅｒ-ｓｉｔｅ  ＣＡ」の開始手順が完了したことを示す「ＣＡ  ａｄｄｉｔｉｏｎ  ｃｏｍｐｌｅｔｅ（キャリアアグリゲーション手順完了信号）」を送信する工程Ｈとを有することを要旨とする。
【００５４】
かかる特徴によれば、既存のＸ２ハンドオーバ手順を活用することで、ネットワーク使用の大幅な変更を伴うことなく、「Ｉｎｔｅｒ-ｓｉｔｅ  ＣＡ」を開始するための手順を行うことができる。
【００５５】
本実施形態の第１の特徴において、工程Ａにおいて、無線基地局ｅＮＢ＃１は、「ＣＡ  ｐｒｅｐａｒａｔｉｏｎ」によって、ＣＡ用として無線基地局ｅＮＢ＃１１において設定すべきベアラの識別子を通知してもよい。
【００５６】
本実施形態の第１の特徴において、工程Ｂにおいて、無線基地局ｅＮＢ＃１１は、「ｃｏｎｆｉｒｍａｔｉｏｎ」によって「Ｉｎｔｅｒ-ｓｉｔｅ  ＣＡ」用として無線基地局ｅＮＢ＃１１において設定すべきベアラの識別子を通知してもよい。
【００５７】
かかる特徴によれば、新しく規定する「ｃｏｎｆｉｒｍａｔｉｏｎ」によって、無線基地局ｅＮＢ＃１１から無線基地局ｅＮＢ＃１に対して「Ｉｎｔｅｒ-ｓｉｔｅ  ＣＡ」の開始手順に必要な情報（かかるベアラの識別子）を通知することができる。
【００５８】
本実施形態の第１の特徴において、工程Ｂにおいて、無線基地局ｅＮＢ＃１１は、「ｃｏｎｆｉｒｍａｔｉｏｎ」によってランダムアクセス手順に用いるランダムアクセスチャネル用リソースを通知してもよい。
【００５９】
かかる特徴によれば、新しく規定する「ｃｏｎｆｉｒｍａｔｉｏｎ」によって、無線基地局ｅＮＢ＃１１から無線基地局ｅＮＢ＃１に対して「Ｉｎｔｅｒ-ｓｉｔｅ  ＣＡ」の開始手順に必要な情報（かかるランダムアクセスチャネル用リソース）を通知することができる。
【００６０】
本実施形態の第１の特徴において、工程Ｂにおいて、無線基地局ｅＮＢ＃１１は、「ｃｏｎｆｉｒｍａｔｉｏｎ」によって無線基地局ｅＮＢ＃１１における設定情報を通知してもよい。
【００６１】
かかる特徴によれば、新しく規定する「ｃｏｎｆｉｒｍａｔｉｏｎ」によって、無線基地局ｅＮＢ＃１１から無線基地局ｅＮＢ＃１に対して「Ｉｎｔｅｒ-ｓｉｔｅ  ＣＡ」の開始手順に必要な情報（かかる無線基地局ｅＮＢ＃１１における設定情報）を通知することができる。
【００６２】
本実施形態の第１の特徴において、工程Ｂにおいて、無線基地局ｅＮＢ＃１１は、「ｃｏｎｆｉｒｍａｔｉｏｎ」に「ＨＯ  ｃｏｍｍａｎｄ（ハンドオーバ指示信号）」を含め、「ＨＯ  ｃｏｍｍａｎｄ」によって「Ｉｎｔｅｒ-ｓｉｔｅ  ＣＡ」用として無線基地局ｅＮＢ＃１１において設定すべきベアラの識別子を通知してもよい。
【００６３】
かかる特徴によれば、既存の「ＨＯ  ｃｏｍｍａｎｄ」によって、無線基地局ｅＮＢ＃１１から無線基地局ｅＮＢ＃１に対して「Ｉｎｔｅｒ-ｓｉｔｅ  ＣＡ」の開始手順に必要な情報（かかるベアラの識別子）を通知することができる。
【００６４】
本実施形態の第１の特徴において、工程Ｂにおいて、無線基地局ｅＮＢ＃１１は、「ｃｏｎｆｉｒｍａｔｉｏｎ」に「ＨＯ  ｃｏｍｍａｎｄ」を含め、「ＨＯ  ｃｏｍｍａｎｄ」によってランダムアクセス手順に用いるランダムアクセスチャネル用リソースを通知してもよい。
【００６５】
かかる特徴によれば、既存の「ＨＯ  ｃｏｍｍａｎｄ」によって、無線基地局ｅＮＢ＃１１から無線基地局ｅＮＢ＃１に対して「Ｉｎｔｅｒ-ｓｉｔｅ  ＣＡ」の開始手順に必要な情報（かかるランダムアクセスチャネル用リソース）を通知することができる。
【００６６】
本実施形態の第１の特徴において、工程Ｂにおいて、無線基地局ｅＮＢ＃１１は、「ｃｏｎｆｉｒｍａｔｉｏｎ」に「ＨＯ  ｃｏｍｍａｎｄ」を含め、「ＨＯ  ｃｏｍｍａｎｄ」によって無線基地局ｅＮＢ＃１１における設定情報を通知してもよい。
【００６７】
かかる特徴によれば、既存の「ＨＯ  ｃｏｍｍａｎｄ」によって、無線基地局ｅＮＢ＃１１から無線基地局ｅＮＢ＃１に対して「Ｉｎｔｅｒ-ｓｉｔｅ  ＣＡ」の開始手順に必要な情報（かかる無線基地局ｅＮＢ＃１１における設定情報）を通知することができる。
【００６８】
本実施形態の第１の特徴において、工程Ｂにおいて、無線基地局ｅＮＢ＃１１は、上述の「ＨＯ  ｃｏｍｍａｎｄ」に、「Ｉｎｔｅｒ-ｓｉｔｅ  ＣＡ」を行うための「ＨＯ  ｃｏｍｍａｎｄ」であることを示す識別子を含めてもよい。
【００６９】
かかる特徴によれば、無線基地局ｅＮＢ＃１は、上述の識別子によって、既存の「ＨＯ  ｃｏｍｍａｎｄ」と「Ｉｎｔｅｒ-ｓｉｔｅ  ＣＡ」を行うための「ＨＯ  ｃｏｍｍａｎｄ」とを容易に区別することができる。
【００７０】
本実施形態の第１の特徴において、無線基地局ｅＮＢ＃１１は、「ｃｏｎｆｉｒｍａｔｉｏｎ」を送信してから所定期間経過しても「ＲＲＣ  ｃｏｎｎｅｃｔｉｏｎ  ｒｅｃｏｎｆｉｇｕｒａｔｉｏｎ  ｃｏｍｐｌｅｔｅ」を受信しない場合、無線基地局ｅＮＢ＃１に対して、その旨を示す信号を送信してもよい。
【００７１】
かかる特徴によれば、無線基地局ｅＮＢ＃１において、「Ｉｎｔｅｒ-ｓｉｔｅ  ＣＡ」の開始手順（Ｓｃｅｌｌの設定手順の失敗について早急に認識することができる。
【００７２】
なお、上述の移動局ＵＥや無線基地局ｅＮＢ＃１/ｅＮＢ＃１１やコアネットワーク装置ＣＮの動作は、ハードウェアによって実施されてもよいし、プロセッサによって実行されるソフトウェアモジュールによって実施されてもよいし、両者の組み合わせによって実施されてもよい。
【００７３】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００７４】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ＃１/ｅＮＢ＃１１やコアネットワーク装置ＣＮ内に設けられていてもよい。また、かかる記憶媒体及びプロセッサは、ディスクリートコンポーネントとして移動局ＵＥや無線基地局ｅＮＢ＃１/ｅＮＢ＃１１やコアネットワーク装置ＣＮ内に設けられていてもよい。
【００７５】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００７６】
ｅＮＢ＃１、ｅＮＢ＃１１…無線基地局
ＵＥ…移動局
ＣＮ…コアネットワーク装置
【図１】
2014187651.tif 000003
【図２】
2014187651.tif 000004
【図３】
2014187651.tif 000005
【図４】
2014187651.tif 000006
【図５】
2014187651.tif 000007
【図６】
2014187651.tif 000008